(57)【要約】【課題】表示装置の処理負荷の影響を低減して、端末装置において、表示装置に表示させる画像が表示される時間を短縮する。【解決手段】プロジェクター１００と通信を行う無線通信部２０と、画像データに付加画像データを重畳して表示画像データを生成するアプリケーション実行部６５と、アプリケーション実行部６５が生成した表示画像データを表示する表示部３０とを備え、アプリケーション実行部６５は、プロジェクター１００に表示画像データを生成させるための生成情報を生成し、生成した生成情報を無線通信部２０によりプロジェクター１００に送信する端末装置１０。【選択図】図２
2018189935.tif 000002
【特許請求の範囲】
【請求項１】
表示装置と通信を行う通信部と、
画像データに付加画像データを重畳して表示画像データを生成する制御部と、
前記制御部が生成した前記表示画像データに基づく画像を表示する表示部と、を備え、
前記制御部は、前記表示装置に前記表示画像データを生成させるための生成情報を生成し、生成した前記生成情報を前記通信部により前記表示装置に送信する端末装置。
【請求項２】
前記制御部は、前記画像データに重畳した前記付加画像データ、又は前記付加画像データを識別可能な識別情報を含む前記生成情報を前記表示装置に送信する請求項１記載の端末装置。
【請求項３】
前記制御部は、前記付加画像データを加工処理して前記画像データに重畳し、
前記加工処理の前の前記付加画像データ又は前記識別情報と、前記付加画像データに加えられた前記加工処理の内容を示す情報とを含む前記生成情報を生成して、前記表示装置に送信する請求項２記載の端末装置。
【請求項４】
前記生成情報には、加工後の前記付加画像データの色、サイズ及び形状の少なくともいずれか１つを示す情報と、加工後の前記付加画像データを重畳する前記画像データ上の位置を示す位置情報とを含む請求項３記載の端末装置。
【請求項５】
前記制御部は、前記表示画像データを前記表示装置に送信した後に、前記生成情報を前記表示装置に送信する請求項１から４のいずれか１項に記載の端末装置。
【請求項６】
前記制御部は、前記画像データに基づく画像を前記表示部に表示させた後に、前記画像データを前記表示装置に送信し、
前記画像データに前記付加画像データを重畳して前記表示画像データを生成して、生成した前記表示画像データに基づく画像を前記表示部に表示させた後に、前記表示画像データを前記表示装置に送信し、
前記表示画像データを前記表示装置に送信した後に、前記生成情報を前記表示装置に送信する請求項１から４のいずれか１項に記載の端末装置。
【請求項７】
前記制御部により生成される前記表示画像データのデータ量は、前記表示装置が前記生成情報に基づいて生成する前記表示画像データのデータ量より少ない請求項５又は６記載の端末装置。
【請求項８】
操作を受け付ける操作部と、
複数の前記付加画像データを記憶する第１記憶部と、を備え、
前記制御部は、前記表示装置から前記画像データを受信すると、前記操作部で受け付けた操作により選択された前記付加画像データを前記第１記憶部から読み出し、受信した前記画像データに読み出した前記付加画像データを重畳して前記表示画像データを生成する請求項１から７のいずれか１項に記載の端末装置。
【請求項９】
操作を受け付ける操作部と、
複数の前記画像データ、及び複数の前記付加画像データを記憶する第１記憶部と、を備え、
前記制御部は、前記操作部により受け付けた操作により選択された前記画像データに、前記操作部により受けた操作により選択された前記付加画像データを重畳して前記表示画像データを生成する請求項１から７のいずれか１項に記載の端末装置。
【請求項１０】
前記制御部は、前記表示装置から前記画像データ及び前記生成情報を受信した場合に、前記生成情報に従って、前記画像データに前記付加画像データを重畳して前記表示画像データを生成し、生成した前記表示画像データに基づく画像を前記表示部に表示させ、
前記操作部により操作を受け付けると、受け付けた操作に従って前記生成情報を更新し、更新した前記生成情報を前記表示装置に送信する請求項８又は９記載の端末装置。
【請求項１１】
前記制御部は、前記画像データを装飾する装飾用の画像データを前記付加画像データとして前記画像データに重畳し、前記表示画像データを生成する請求項１から１０のいずれか１項に記載の端末装置。
【請求項１２】
表示装置と通信を行う通信部と、
前記通信部により受信した第１の画像データに、第２の画像データを重畳して第３の画像データを生成する制御部と、
前記制御部が生成した前記第３の画像データを表示する表示部と、を備え、
前記制御部は、前記表示装置において前記第３の画像データの生成に必要な生成情報を前記通信部により前記表示装置に送信する端末装置。
【請求項１３】
操作を受け付ける操作部と、
複数の前記第２の画像データを記憶する記憶部と、を備え、
前記制御部は、前記操作部が受け付けた操作により選択された前記第２の画像データを、前記第１の画像データに重畳して前記第３の画像データを生成し、選択された前記第２の画像データを識別する識別情報を含む前記生成情報を前記表示装置に送信する請求項１２記載の端末装置。
【請求項１４】
前記制御部は、前記操作部で受け付けた操作に基づいて、前記第１の画像データに重畳する前記第２の画像データのサイズと、前記第２の画像データを重畳する前記第１の画像データ上の位置との少なくとも１つを含む前記生成情報を生成し、生成した前記生成情報を前記通信部により前記表示装置に送信する請求項１３記載の端末装置。
【請求項１５】
前記制御部は、前記表示装置から前記第１の画像データと、前記生成情報とを受信した場合に、前記生成情報に従って、前記第１の画像データに、前記第２の画像データを重畳して前記第３の画像データを生成し、生成した前記第３の画像データを前記表示部により表示させ、
前記操作部で受け付けた操作に基づいて前記生成情報を更新し、更新した前記生成情報を前記表示装置に送信する請求項１３又は１４記載の端末装置。
【請求項１６】
表示装置と、端末装置とを備える表示システムであって、
前記端末装置は、
前記表示装置と通信を行う通信部と、
画像データに付加画像データを重畳して表示画像データを生成する制御部と、
前記制御部が生成した前記表示画像データに基づく画像を表示する表示部と、を備え、
前記制御部は、前記表示装置に前記表示画像データを生成させるための生成情報を生成し、生成した前記生成情報を前記通信部により前記表示装置に送信する表示システム。
【請求項１７】
前記制御部は、生成した前記表示画像データを前記表示装置に送信した後に、前記生成情報を前記表示装置に送信し、
前記制御部により生成される前記表示画像データのデータ量は、前記表示装置が前記生成情報に基づいて生成する前記表示画像データのデータ量より少ない請求項１６記載の表示システム。
【請求項１８】
前記表示装置は、
前記画像データ及び前記付加画像データを記憶する第２記憶部と、
表示面に画像を表示する第２表示部と、
前記端末装置から前記表示画像データを受信すると、受信した前記表示画像データに基づく画像を前記第２表示部により前記表示面に表示させ、前記端末装置から前記生成情報を受信すると、受信した前記生成情報に基づいて前記画像データに前記付加画像データを重畳して前記表示画像データを生成し、生成した前記表示画像データに基づく画像を前記表示面に表示させる第２制御部と、
を備える請求項１７記載の表示システム。
【請求項１９】
表示装置と、端末装置とを備える表示システムであって、
前記端末装置は、前記表示装置と通信を行う第１通信部と、
前記第１通信部により受信した第１の画像データに、第２の画像データを重畳して第３の画像データを生成する制御部と、
前記制御部が生成した前記第３の画像データを表示する表示部と、を備え、
前記制御部は、前記表示装置において前記第３の画像データの生成に必要な生成情報を前記第１通信部により前記表示装置に送信する表示システム。
【請求項２０】
前記表示装置は、前記端末装置と通信を行う第２通信部と、
複数の前記第２の画像データと、複数の前記第２の画像データの各々を識別する識別情報とを対応付けて記憶する第２記憶部と、
操作信号を発信して前記表示装置を操作するリモコン端末と、を備え、
前記端末装置は、複数の前記第２の画像データと、前記識別情報とを対応付けて記憶する第１記憶部と、を備え、
前記表示装置は、前記リモコン端末から受信した前記操作信号により選択された前記第２の画像データの前記識別情報を、前記端末装置に送信し、
前記端末装置は、受信した前記識別情報に対応した前記第２の画像データを前記第１の画像データに重畳して前記第３の画像データを生成する請求項１９記載の表示システム。
【請求項２１】
表示装置と通信を行う通信部と、画像を表示する表示部とを備える端末装置の制御方法であって、
画像データに付加画像データを重畳して表示画像データを生成するステップと、
生成した前記表示画像データに基づく画像を表示部により表示するステップと、
前記表示装置に前記表示画像データを生成させるための生成情報を生成するステップと、
生成した前記生成情報を前記通信部により前記表示装置に送信するステップと、
を有する端末装置の制御方法。
【請求項２２】
表示装置と通信を行う通信部と、画像を表示する表示部とを備える端末装置の制御方法であって、
前記通信部により受信した第１の画像データに、第２の画像データを重畳して第３の画像データを生成するステップと、
生成した前記第３の画像データを前記表示部に表示させるステップと、
前記表示装置において、前記第３の画像データの生成に必要な生成情報を前記通信部により前記表示装置に送信するステップと、
を有する端末装置の制御方法。
【発明の詳細な説明】
【技術分野】
【０００１】
本発明は、端末装置、表示システム及び端末装置の制御方法に関する。
【背景技術】
【０００２】
従来、表示装置に表示させる画像を、表示装置に表示させるよりも前に端末装置に表示して、表示装置が表示する画像を事前に確認することが行われている（例えば、特許文献１参照）。
特許文献１の画像表示装置は、端末装置から受信した指示情報により表示する画像を変更する場合に、変更した画像を画像表示装置での表示に先立って端末装置に送信し、端末装置において変更された画像を表示する。
【先行技術文献】
【特許文献】
【０００３】
【特許文献１】特開２０１２−１９４３２４号公報
【発明の概要】
【発明が解決しようとする課題】
【０００４】
ところで、表示装置の処理負荷が増加すると、端末装置から表示装置に画像の変更指示を送信しても、表示装置が指示された画像を生成して端末装置に送信するまでに時間がかかる。このため、端末装置に画像が表示されるまでに時間がかかり、端末装置での画像の確認に時間がかかるという問題がある。
本発明は、表示装置の処理負荷の影響を低減して、端末装置において、表示装置に表示させる画像が表示される時間を短縮することを目的とする。
【課題を解決するための手段】
【０００５】
上記課題を解決するため、本発明は、表示装置と通信を行う通信部と、画像データに付加画像データを重畳して表示画像データを生成する制御部と、前記制御部が生成した前記表示画像データに基づく画像を表示する表示部と、を備え、前記制御部は、前記表示装置に前記表示画像データを生成させるための生成情報を生成し、生成した前記生成情報を前記通信部により前記表示装置に送信する。
本発明によれば、端末装置において表示画像データを生成して表示させるため、表示装置から表示画像データを受信する場合と比較して、表示画像データに基づく画像が端末装置に表示されるまでの時間を短縮することができる。また、表示画像データを生成するための生成情報を、端末装置から表示装置に送信するので、表示画像データを端末装置から表示装置に送信する場合と比較して、端末装置から表示装置に送信するデータのデータ量を削減することができる。
【０００６】
また、本発明は、前記制御部は、前記画像データに重畳した前記付加画像データ、又は前記付加画像データを識別可能な識別情報を含む前記生成情報を前記表示装置に送信する。
本発明によれば、表示装置に、生成情報に基づいて表示画像データを生成させることができる。
【０００７】
また、本発明は、前記制御部は、前記付加画像データを加工処理して前記画像データに重畳し、前記加工処理の前の前記付加画像データ又は前記識別情報と、前記付加画像データに加えられた前記加工処理の内容を示す情報とを含む前記生成情報を生成して、前記表示装置に送信する。
本発明によれば、表示装置に、端末装置が生成した表示画像データを生成情報に基づいて精度よく生成させることができる。
【０００８】
また、本発明は、前記生成情報には、加工後の前記付加画像データの色、サイズ及び形状の少なくともいずれか１つを示す情報と、加工後の前記付加画像データを重畳する前記画像データ上の位置を示す位置情報とを含む。
本発明によれば、表示装置に、端末装置が生成した表示画像データを生成情報に基づいて精度よく生成させることができる。
【０００９】
また、本発明は、前記制御部は、前記表示画像データを前記表示装置に送信した後に、前記生成情報を前記表示装置に送信する。
本発明によれば、端末装置が生成した表示画像データに基づく画像を表示装置に表示させた後に、表示装置に生成情報に基づいて表示画像データを生成させることができる。
【００１０】
また、本発明は、前記制御部は、前記画像データに基づく画像を前記表示部に表示させた後に、前記画像データを前記表示装置に送信し、前記画像データに前記付加画像データを重畳して前記表示画像データを生成して、生成した前記表示画像データに基づく画像を前記表示部に表示させた後に、前記表示画像データを前記表示装置に送信し、前記表示画像データを前記表示装置に送信した後に、前記生成情報を前記表示装置に送信する。
本発明によれば、端末装置の表示部に表示された画像データに基づく画像を、表示装置において表示させ、その後に、端末装置において生成され、表示部に表示された表示画像データに基づく画像を、表示装置において表示させることができる。さらに、表示装置に、生成情報に基づいて表示画像データを生成させ、生成された表示画像データに基づく画像を表示させることができる。
【００１１】
また、本発明は、前記制御部により生成される前記表示画像データのデータ量は、前記表示装置が前記生成情報に基づいて生成する前記表示画像データのデータ量より少ない。
本発明によれば、端末装置が生成したデータ量の少ない表示画像データに基づく画像を表示装置において表示させた後に、表示装置が生成情報に基づいて生成したデータ量の多い表示画像データに基づく画像を表示装置において表示させることができる。従って、表示装置において表示画像データに基づく画像を迅速に表示させることができる。
【００１２】
また、本発明は、操作を受け付ける操作部と、複数の前記付加画像データを記憶する第１記憶部と、を備え、前記制御部は、前記表示装置から前記画像データを受信すると、前記操作部で受け付けた操作により選択された前記付加画像データを前記第１記憶部から読み出し、受信した前記画像データに読み出した前記付加画像データを重畳して前記表示画像データを生成する。
本発明によれば、表示装置から受信した画像データに、操作部により受け付けた操作により選択された付加画像データを重畳した表示画像データを生成させることができる。
【００１３】
また、本発明は、操作を受け付ける操作部と、複数の前記画像データ、及び複数の前記付加画像データを記憶する第１記憶部と、を備え、前記制御部は、前記操作部により受け付けた操作により選択された前記画像データに、前記操作部により受けた操作により選択された前記付加画像データを重畳して前記表示画像データを生成する。
本発明によれば、操作部により受け付けた操作により選択された画像データに、受け付けた操作により選択された画像データを重畳した表示画像データを生成させることができる。
【００１４】
また、本発明は、前記制御部は、前記表示装置から前記画像データ及び前記生成情報を受信した場合に、前記生成情報に従って、前記画像データに前記付加画像データを重畳して前記表示画像データを生成し、生成した前記表示画像データに基づく画像を前記表示部に表示させ、前記操作部により操作を受け付けると、受け付けた操作に従って前記生成情報を更新し、更新した前記生成情報を前記表示装置に送信する。
本発明によれば、端末装置の表示部に表示される表示画像データに基づく画像を確認しながら、表示画像データに変更を加えることができる。また、表示画像データが変更された場合に生成情報が更新され、更新された生成情報が表示装置に送信されるので、端末装置において加えられた変更を反映させた表示画像データに基づく画像を表示装置において表示させることができる。
【００１５】
また、本発明は、前記制御部は、前記画像データを装飾する装飾用の画像データを前記付加画像データとして前記画像データに重畳し、前記表示画像データを生成する。
本発明によれば、装飾用の画像データによって画像データを装飾することができる。
【００１６】
上記課題を解決するため、本発明は、表示装置と通信を行う通信部と、前記通信部により受信した第１の画像データに、第２の画像データを重畳して第３の画像データを生成する制御部と、前記制御部が生成した前記第３の画像データを表示する表示部と、を備え、
前記制御部は、前記表示装置において前記第３の画像データの生成に必要な生成情報を前記通信部により前記表示装置に送信する。
本発明によれば、端末装置において、表示装置から受信した第１の画像データに第２の画像データを重畳して第３の画像データを生成し、この第３の画像データの生成に必要な生成情報を表示装置に送信する。従って、表示装置の処理負荷の影響を低減して、端末装置において、表示装置に表示させる画像が表示される時間を短縮することができる。
【００１７】
また、本発明は、操作を受け付ける操作部と、複数の前記第２の画像データを記憶する記憶部と、を備え、前記制御部は、前記操作部が受け付けた操作により選択された前記第２の画像データを、前記第１の画像データに重畳して前記第３の画像データを生成し、選択された前記第２の画像データを識別する識別情報を含む前記生成情報を前記表示装置に送信する。
本発明によれば、制御部は、操作部が受け付けた操作により選択された第２の画像データを第１の画像データに重畳して第３の画像データを生成する。また、制御部は、選択された第２の画像データを識別する識別情報を含む生成情報を表示装置に送信する。
従って、端末装置を操作して、第１の画像データに付加する第２の画像データを選択することができる。また、端末装置から表示装置には、選択された第２の画像データの識別情報が送信されるので、端末装置で生成された第３の画像データと同一の画像データを表示装置に生成させることができる。また、端末装置から表示装置に送信されるデータは、第２の画像データを識別する識別情報だけであるため、端末装置から表示装置に送信されるデータ量を削減することができる。
【００１８】
また、本発明は、前記制御部は、前記操作部で受け付けた操作に基づいて、前記第１の画像データに重畳する前記第２の画像データのサイズと、前記第２の画像データを重畳する前記第１の画像データ上の位置との少なくとも１つを含む前記生成情報を生成し、生成した前記生成情報を前記通信部により前記表示装置に送信する。
本発明によれば、端末装置を操作して、第１の画像データに重畳する第２の画像データのサイズや位置を変更することができる。また、端末装置から表示装置に送信される生成情報には、第１の画像データに重畳する第２の画像データのサイズと、第２の画像データを重畳する第１の画像データ上の位置とを示す情報が含まれる。このため、端末装置において生成した第３の画像データと同一の画像データを表示装置において生成し、生成した第３の画像データに基づく画像を表示装置に表示させることができる。
【００１９】
また、本発明は、前記制御部は、前記表示装置から前記第１の画像データと、前記生成情報とを受信した場合に、前記生成情報に従って、前記第１の画像データに、前記第２の画像データを重畳して前記第３の画像データを生成し、生成した前記第３の画像データを前記表示部により表示させ、前記操作部で受け付けた操作に基づいて前記生成情報を更新し、更新した前記生成情報を前記表示装置に送信する。
本発明によれば、表示装置が表示する画像の画像データと、生成情報とを端末装置に送信することで、端末装置において、表示装置が表示する画像を変更する操作を行うことができる。
【００２０】
上記課題を解決するため、本発明は、表示装置と、端末装置とを備える表示システムであって、前記端末装置は、前記表示装置と通信を行う通信部と、画像データに付加画像データを重畳して表示画像データを生成する制御部と、前記制御部が生成した前記表示画像データに基づく画像を表示する表示部と、を備え、前記制御部は、前記表示装置に前記表示画像データを生成させるための生成情報を生成し、生成した前記生成情報を前記通信部により前記表示装置に送信する。
本発明によれば、端末装置において表示画像データを生成して表示させるため、表示装置から表示画像データを受信する場合と比較して、表示画像データに基づく画像が端末装置に表示されるまでの時間を短縮することができる。また、表示画像データを生成するための生成情報を、端末装置から表示装置に送信するので、表示画像データを端末装置から表示装置に送信する場合と比較して、端末装置から表示装置に送信するデータのデータ量を削減することができる。
【００２１】
また、本発明は、前記制御部は、生成した前記表示画像データを前記表示装置に送信した後に、前記生成情報を前記表示装置に送信し、前記制御部により生成される前記表示画像データのデータ量は、前記表示装置が前記生成情報に基づいて生成する前記表示画像データのデータ量より少ない。
本発明によれば、端末装置が生成した少ないデータ量の表示画像データに基づく画像を表示装置において表示させた後に、表示装置が生成情報に基づいて生成したデータ量の多い表示画像データに基づく画像を表示装置において表示させることができる。従って、表示装置において表示画像データに基づく画像を迅速に表示させることができる。
【００２２】
また、本発明は、前記表示装置は、前記画像データ及び前記付加画像データを記憶する第２記憶部と、表示面に画像を表示する第２表示部と、前記端末装置から前記表示画像データを受信すると、受信した前記表示画像データに基づく画像を前記第２表示部により前記表示面に表示させ、前記端末装置から前記生成情報を受信すると、受信した前記生成情報に基づいて前記画像データに前記付加画像データを重畳して前記表示画像データを生成し、生成した前記表示画像データに基づく画像を前記表示面に表示させる第２制御部と、を備える。
本発明によれば、端末装置により生成された少ないデータ量の表示画像データに基づく画像を表示装置において表示させた後に、表示装置が生成情報に基づいて生成したデータ量の多い表示画像データに基づく画像を表示装置において表示させることができる。
【００２３】
上記課題を解決するため、本発明は、表示装置と、端末装置とを備える表示システムであって、前記端末装置は、前記表示装置と通信を行う第１通信部と、前記第１通信部により受信した第１の画像データに、第２の画像データを重畳して第３の画像データを生成する制御部と、前記制御部が生成した前記第３の画像データを表示する表示部と、を備え、前記制御部は、前記表示装置において前記第３の画像データの生成に必要な生成情報を前記第１通信部により前記表示装置に送信する。
本発明によれば、端末装置において、表示装置から受信した第１の画像データに第２の画像データを重畳して第３の画像データを生成し、この第３の画像データの生成に必要な生成情報を表示装置に送信する。従って、表示装置の処理負荷の影響を低減して、端末装置において、表示装置に表示させる画像が表示される時間を短縮することができる。
【００２４】
また、本発明は、前記表示装置は、前記端末装置と通信を行う第２通信部と、複数の前記第２の画像データと、複数の前記第２の画像データの各々を識別する識別情報とを対応付けて記憶する第２記憶部と、操作信号を発信して前記表示装置を操作するリモコン端末と、を備え、前記端末装置は、複数の前記第２の画像データと、前記識別情報とを対応付けて記憶する第１記憶部と、を備え、前記表示装置は、前記リモコン端末から受信した前記操作信号により選択された前記第２の画像データの前記識別情報を、前記端末装置に送信し、前記端末装置は、受信した前記識別情報に対応した前記第２の画像データを前記第１の画像データに重畳して前記第３の画像データを生成する。
本発明によれば、端末装置において、リモコン端末により選択された第２の画像データを第１の画像データに重畳して第３の画像データを生成することができる。従って、端末装置において、表示装置に表示させる画像の確認を容易に行うことができる。
【００２５】
上記課題を解決するため、本発明は、表示装置と通信を行う通信部と、画像を表示する表示部とを備える端末装置の制御方法であって、画像データに付加画像データを重畳して表示画像データを生成するステップと、生成した前記表示画像データに基づく画像を表示部により表示するステップと、前記表示装置に前記表示画像データを生成させるための生成情報を生成するステップと、生成した前記生成情報を前記通信部により前記表示装置に送信するステップと、を有する。
本発明によれば、端末装置において表示画像データを生成して表示させるため、表示装置から表示画像データを受信する場合と比較して、表示画像データに基づく画像が端末装置に表示されるまでの時間を短縮することができる。また、表示画像データを生成するための生成情報を、端末装置から表示装置に送信するので、表示画像データを端末装置から表示装置に送信する場合と比較して、端末装置から表示装置に送信するデータのデータ量を削減することができる。
【００２６】
上記課題を解決するため、本発明は、表示装置と通信を行う通信部と、画像を表示する表示部とを備える端末装置の制御方法であって、前記通信部により受信した第１の画像データに、第２の画像データを重畳して第３の画像データを生成するステップと、生成した前記第３の画像データを前記表示部に表示させるステップと、前記表示装置において、前記第３の画像データの生成に必要な生成情報を前記通信部により前記表示装置に送信するステップと、を有する。
本発明によれば、端末装置において、表示装置から受信した第１の画像データに第２の画像データを重畳して第３の画像データを生成し、この第３の画像データの生成に必要な生成情報を表示装置に送信する。従って、表示装置の処理負荷の影響を低減して、端末装置において、表示装置に表示させる画像が表示される時間を短縮することができる。
【図面の簡単な説明】
【００２７】
【図１】第１実施形態の表示システムのシステム構成図。
【図２】端末装置の構成図。
【図３】プロジェクターの構成図。
【図４】プロジェクター及び端末装置の動作を示すシーケンス図。
【図５】端末装置に表示されるアプリ画面の一例を示す図。
【図６】端末装置に表示されるアプリ画面の一例を示す図。
【図７】端末装置の動作を示すフローチャート。
【図８】プロジェクターの動作を示すフローチャート。
【図９】第２実施形態の表示システムのシステム構成図。
【図１０】第２実施形態のプロジェクター及び端末装置の動作を示すシーケンス図。
【図１１】第３実施形態のプロジェクター及び端末装置の動作を示すシーケンス図。
【図１２】第３実施形態のシーケンスの変形例を示すシーケンス図。
【発明を実施するための形態】
【００２８】
［第１実施形態］
以下、添付図面を参照しながら本発明を適用した第１実施形態について説明する。
図１は、本発明を適用した実施形態の表示システム１の構成図である。
【００２９】
表示システム１は、端末装置１０と、プロジェクター１００とを備える。プロジェクター１００は、本発明の「表示装置」に相当する。
端末装置１０は、ユーザーが手に持って操作する小型の装置であり、例えば、スマートフォン、タブレット端末、ＰＤＡ（Personal Digital Assistants）等を用いることができる。プロジェクター１００は、光源部１１１（図３参照）から射出された光を、画像データに基づいて変調して画像光を生成し、生成した画像光を投射光学系１１３（図３参照）により投射対象に投射する装置である。プロジェクター１００が画像光を投射する表示面は、平面であっても曲面や凹凸面であってもよく、室内の壁や建物の外壁であってもよい。また、本実施形態は平面で構成されるスクリーンＳＣを表示面として画像を投射する場合を例にして説明するが、スクリーンＳＣは壁面等の固定された平面を利用してもよいし、吊り下げ式や立ち上げ式の幕状のスクリーンであってもよい。
【００３０】
端末装置１０とプロジェクター１００とは、無線通信によって各種データを送受信する。無線通信の方式には、例えば、ＩＥＥＥ８０２．１１規格に準拠する無線ＬＡＮ（Local Area Network）、Ｂｌｕｅｔｏｏｔｈ（登録商標）、ＵＷＢ（Ultra Wide Band）等の近距離無線通信方式を用いることができる。本実施形態では、端末装置１０とプロジェクター１００とを無線ＬＡＮにより接続する場合を例にして説明する。また、端末装置１０とプロジェクター１００とをケーブルにより有線接続してもよい。端末装置１０とプロジェクター１００とを有線接続するインターフェイスとして、例えば、ＵＳＢや、ＭＨＬ（登録商標）、ＤｉｓｐｌａｙＰｏｒｔ（登録商標）等を用いることができる。
【００３１】
図２は、端末装置１０の構成を示すブロック図である。
端末装置１０は、無線通信部２０、表示部３０、操作部４０、記憶部５０及び制御部６０を備える。制御部６０は、無線通信部２０、表示部３０及び操作部４０に接続され、これら各部を制御する。また、制御部６０は、記憶部５０に接続され、記憶部５０にデータを記憶させたり、記憶部５０からデータを読み出したりする。記憶部５０は、本発明の「第１記憶部」に相当する。
【００３２】
無線通信部２０は、アンテナやＲＦ（Radio Frequency）回路（いずれも図示省略）等を備える。無線通信部２０は、制御部６０の制御によりプロジェクター１００との間で無線通信を行い、各種データを送受信する。無線通信部２０は、本発明の「通信部」及び「第１通信部」に相当する。
【００３３】
表示部３０は、表示パネル３１及び操作検出部３３を備える。
表示パネル３１には、例えば、液晶パネルや有機ＥＬディスプレイ等が用いられる。表示部３０は、制御部６０の制御により、表示パネル３１に、ウインドウやアイコン、ボタン等のＧＵＩ（Graphical User Interface）画像を表示させる。操作検出部３３は、表示パネル３１に重ねて配置されるタッチセンサー（図示省略）を備える。操作検出部３３は、ユーザーの指やタッチペンの接触位置を検出して、接触位置を示す表示パネル３１上の座標情報を制御部６０に出力する。制御部６０は、操作検出部３３から入力される座標情報と、表示パネル３１に表示されたＧＵＩ画像の表示位置とに基づいてユーザーにより入力された操作を特定し、特定した操作に応じた各種処理を実行する。表示パネル３１及び操作検出部３３は、タッチパネルを構成する。また、以下では、ユーザーが指やタッチペンを表示パネル３１に接触させて行う操作をタッチ操作という。
【００３４】
操作部４０は、ユーザーによって操作されるハードウェアとしてのボタンを備える。このボタンには、例えば、端末装置１０の電源ボタンや、ホームボタン、バックボタン、メニューボタン等が含まれる。操作部４０は、これらのボタンのいずれかが操作されると、当該ボタンが操作されたことを示す操作信号を生成して制御部６０に出力する。
【００３５】
記憶部５０は、フラッシュメモリー、ＥＥＰＲＯＭ（Electronically Erasable and Programmable Read Only Memory）等の不揮発性の記憶装置である。記憶部５０は、制御部６０が実行する制御プログラム５１を記憶する。また、記憶部５０は、付加画像データ５３や接続情報５５を記憶する。付加画像データ５３は、プロジェクター１００から受信した画像データに付加される画像データである。付加画像データ５３は、本発明の「第２の画像データ」に相当する。本実施形態では、付加画像データ５３は、プロジェクター１００から受信した画像データに付加され、画像データを装飾する装飾用の飾り枠の画像データであり、例えば、楕円型、円型、三角形型、四角形型、星型等の複数の形状がある。また、付加画像データ５３の各々には、各付加画像データ５３を識別可能な識別情報が付与され、記憶部５０は、識別情報と付加画像データ５３とを対応付けて記憶する。また、記憶部５０には、付加画像データ５３の属性情報が記憶される。属性情報には、例えば、付加画像データ５３の色を示す色情報や、付加画像データ５３の縦方向及び横方向のサイズを示すサイズ情報等が含まれる。付加画像データ５３は、記憶部５０に事前に記憶されたものに限らず、プロジェクター１００やサーバ装置（図示省略）から送信された付加画像データ５３を無線通信部２０で受信し、記憶部５０に記憶させたものであってもよい。
接続情報５５は、端末装置１０をアクセスポイント（図示省略）に接続するための情報である。接続情報には、アクセスポイントを識別するＳＳＩＤ（Service Set Identifier）、使用する規格（８０２．１１ａ，８０２．１１ｎ等の別）、使用するチャネル、暗号化の方法及び暗号キー等の情報を含む。
【００３６】
制御部６０は、ＣＰＵ（Central Processing Unit）を備える。制御部６０は、記憶部５０に記憶されたデータを必要に応じて参照しつつ、記憶部５０に記憶された制御プログラム５１に含まれる命令を実行して、端末装置１０の動作を統括的に制御して各種の機能を実現する。なお、ＣＰＵは一つの半導体チップから構成されてもよいし、複数の半導体チップから構成されてもよい。
【００３７】
制御部６０は、機能ブロックとして、表示制御部６１、通信制御部６３及びアプリケーション実行部６５を備える。これらの機能ブロックは、ＣＰＵが制御プログラム５１を実行することで実現される機能をブロックとして便宜的に表現したものであり、特定のアプリケーションや、ハードウェアを意味するものではない。アプリケーション実行部６５は、本発明の「制御部」に相当する。
【００３８】
表示制御部６１は、表示部３１を制御して、ＧＵＩ画像や、無線通信部２０が受信した画像データを表示パネル３１に表示させる。
【００３９】
通信制御部６３は、無線通信部２０を制御してプロジェクター１００との無線通信を行う。通信制御部６３は、接続情報５５を用いてアクセスポイント（図示省略）に接続し、同じくアクセスポイントに接続したプロジェクター１００との間で無線ＬＡＮによる通信を行う。
【００４０】
アプリケーション実行部６５は、制御部６０が、制御プログラム５１に含まれるアプリケーションプログラムを実行することで実現される機能ブロックである。アプリケーション実行部６５は、通信制御部６３にプロジェクター１００との通信を実行させ、プロジェクター１００から受信する画像データに基づき、プロジェクター１００に表示させる画像データ（以下、表示画像データという）を生成する。アプリケーション実行部６５は、加工処理部６７を備える。
【００４１】
加工処理部６７は、プロジェクター１００から取得した画像データに付加画像データ５３を付加して画像データを加工する。加工処理部６７は、プロジェクター１００から受信する画像データに、操作部４０又はタッチ操作により選択された付加画像データ５３を重畳して表示画像データを生成する。本実施形態では、付加画像データ５３は飾り枠の画像データであるため、加工処理部６７により、画像データに飾り枠の画像データが付加される。
【００４２】
図３は、プロジェクター１００の構成を示す構成図である。プロジェクター１００は、画像入力インターフェイス部（以下、画像入力Ｉ／Ｆ部と略記する）１５１を備える。画像入力Ｉ／Ｆ部１５１は、有線接続用のコネクターと、このコネクターに対応したインターフェイス回路（いずれも図示省略）とを備え、画像供給装置２００にケーブル３を介して接続される。
【００４３】
画像入力Ｉ／Ｆ部１５１に採用可能なインターフェイスは、例えば、デジタル映像信号が入力されるＤＶＩインターフェイス、ＵＳＢインターフェイス、ＬＡＮインターフェイス等を用いることができる。また、画像入力Ｉ／Ｆ部１５１のインターフェイスとして、例えば、ＮＴＳＣ、ＰＡＬ、ＳＥＣＡＭ等のコンポジット映像信号が入力されるＳ映像端子、コンポジット映像信号が入力されるＲＣＡ端子、コンポーネント映像信号が入力されるＤ端子等を用いてもよい。さらに、画像入力Ｉ／Ｆ部１５１のインターフェイスには、ＨＤＭＩ（登録商標）規格に準拠したＨＤＭＩコネクター等の汎用インターフェイスを用いることができる。また、画像入力Ｉ／Ｆ部１５１は、アナログ映像信号をデジタル画像データに変換するＡ／Ｄ変換回路を有し、ＶＧＡ端子等のアナログ映像端子により画像供給装置に接続される構成としてもよい。
【００４４】
プロジェクター１００は、光学的な画像を形成してスクリーンＳＣに投射する投射部１１０と、この投射部１１０を駆動する駆動部１２０とを備える。投射部１１０は、本発明の「第２表示部」に相当する。投射部１１０は、光源部１１１、光変調部１１２及び投射光学系１１３を備え、駆動部１２０は、光源駆動部１２１、光変調部駆動部１２２及び投射光学系駆動部１２３を備える。
【００４５】
光源部１１１は、キセノンランプ、超高圧水銀ランプ、ＬＥＤ（Light Emitting Diode）又はレーザー光源等からなる光源を備える。光源部１１１は、光源が発した光を光変調部１１２に導くリフレクター及び補助リフレクターを備えていてもよい。光源部１１１は、投射光学系１１３から射出される投射光の光学特性を高めるためのレンズ群、偏光板、又は光源が発した光の光量を光変調部１１２に至る経路上で低減させる調光素子等（いずれも図示省略）を備えていてもよい。
【００４６】
光源駆動部１２１は、光源部１１１及びバス１９０に接続され、同じくバス１９０に接続された制御部１７０の制御に従って光源部１１１を点灯又は消灯させる。
【００４７】
光変調部１１２は、Ｒ（赤）、Ｇ（緑）及びＢ（青）の三原色に対応した３枚の液晶パネル１１５を備える。光源部１１１が発する光は、光学系（図示省略）によってＲＧＢの３色の色光に分離され、対応する液晶パネル１１５にそれぞれ入射される。３枚の液晶パネル１１５は、透過型の液晶パネルであり、透過する光を変調して画像光を生成する。各液晶パネル１１５を通過して変調された画像光は、クロスダイクロイックプリズム等の合成光学系によって合成されて投射光学系１１３に射出される。
【００４８】
光変調部駆動部１２２は、光変調部１１２及びバス１９０に接続される。光変調部駆動部１２２は、後述する画像処理部１５３から入力される表示画像データに基づいてＲ，Ｇ，Ｂの色ごとに駆動信号を生成する。光変調部駆動部１２２は、生成したＲ，Ｇ，Ｂの駆動信号に基づいて光変調部１１２の対応する液晶パネル１１５を駆動し、各液晶パネル１１５に画像を描画する。
【００４９】
投射光学系１１３は、光変調部１１２により変調された画像光をスクリーンＳＣ方向に投射して、スクリーンＳＣ上に結像させる投射レンズ（図示省略）を備える。投射レンズは、画角の調整、すなわち投射される画像の大きさを調整（ズーム調整）する機能を有するズームレンズである。また、投射レンズは、焦点位置を調整（フォーカス調整）する機能も有する。
【００５０】
投射光学系駆動部１２３は、投射光学系１１３を駆動するモーターを備え、投射光学系１１３及びバス１９０に接続される。投射光学系駆動部１２３は、制御部１７０の制御に従ってモーターを駆動して投射レンズのレンズ位置を調整し、ズームやフォーカスを調整する。
【００５１】
プロジェクター１００は、操作・表示パネル１３１、操作・表示処理部１３３及びリモコン受光部１３５を備える。操作・表示処理部１３３は、操作・表示パネル１３１、リモコン受光部１３５及びバス１９０に接続される。操作・表示パネル１３１、操作・表示処理部１３３及びリモコン受光部１３５は、本発明の「操作部」に相当する。
ユーザーインターフェースとして機能する操作・表示パネル１３１には、各種の操作キーや、ＬＣＤ（Liquid Crystal Display）等を用いた表示パネルが設けられる。操作・表示処理部１３３は、制御部１７０の制御に従って、操作・表示パネル１３１に各種画面を表示させる。
また、操作・表示パネル１３１には、プロジェクター１００の電源をオン、オフするための電源キーや、各種設定を行うためのメニューキー等の各種操作キーが設けられる。操作・表示処理部１３３は、操作キーが操作されると、操作されたキーに対応した操作信号を制御部１７０に出力する。
【００５２】
リモコン受光部１３５は、リモコン１０５が発信する赤外線信号を受光する。リモコン１０５は、本発明の「操作部」及び「リモコン端末」に相当する。
リモコン１０５はプロジェクター１００を操作する各種スイッチを備え、スイッチの操作に対応した赤外線信号をプロジェクター１００に送信する。操作・表示処理部１３３は、リモコン受光部１３５が受光した赤外線信号をデコードし、リモコン１０５における操作内容を示す操作信号を生成して制御部１７０に出力する。
【００５３】
プロジェクター１００は、無線通信部１３７を備える。無線通信部１３７は、バス１９０に接続され、制御部１７０の制御に従って動作する。無線通信部１３７は、本発明の「第２通信部」に相当する。
無線通信部１３７は、図示しないアンテナやＲＦ（Radio Frequency）回路等を備え、制御部１７０の制御に従って端末装置１０との無線通信を実行する。無線通信部１３７の無線通信方式には、例えば無線ＬＡＮ（Local Area Network）、Ｂｌｕｅｔｏｏｔｈ（登録商標）、ＵＷＢ（Ultra Wide Band）、赤外線通信等の近距離無線通信方式を採用できる。また、無線通信部１３７の無線通信方式として携帯電話回線を利用した無線通信方式を採用してもよい。
【００５４】
プロジェクター１００は、メモリーインターフェイス部（以下、メモリーＩ／Ｆ部と省略して記載する）１３９を備える。メモリーＩ／Ｆ部１３９は、ＵＳＢメモリー、ＳＤメモリー等の外部メモリーとのインターフェイスである。例えば、画像データを記憶した外部メモリーがメモリーＩ／Ｆ部１３９に接続された場合、プロジェクター１００は、この外部メモリーに記憶された画像データを処理してスクリーンＳＣに投射する。
【００５５】
プロジェクター１００は、画像処理系を備える。この画像処理系は、プロジェクター１００の全体を統合的に制御する制御部１７０を中心に構成され、この他に、画像処理部１５３、フレームメモリー１５５、記憶部１６０を備える。制御部１７０、画像処理部１５３及び記憶部１６０は、バス１９０に接続される。記憶部１６０は、本発明の「第２記憶部」に相当する。
【００５６】
フレームメモリー１５５は、複数のバンクを有する。各バンクは、１フレーム分の画像データを書き込み可能な記憶容量を有する。フレームメモリー１５５は、例えば、ＳＤＲＡＭ（Synchronous Dynamic Random Access Memory）により構成することができる。ＳＤＲＡＭは、クロックに同期してデータの読み出し及び書き込みを行うＤＲＡＭである。
【００５７】
画像処理部１５３には、画像入力Ｉ／Ｆ部１５１から画像データが入力される。また、画像処理部１５３には、制御部１７０から画像データが入力される。この画像データは、制御部１７０が、記憶部１６０、又はメモリーＩ／Ｆ部１３９に接続された外部メモリーから読み出した画像データである。
画像処理部１５３は、入力された画像データをフレームメモリー１５５に書き込み、書き込んだ画像データに対して画像処理を行う。画像処理部１５３が行う画像処理には、例えば、解像度変換処理、リサイズ処理、台形歪み補正処理等の形状補正処理、デジタルズーム処理、色調補正処理、輝度補正処理等が含まれる。
画像処理部１５３は、制御部１７０の制御に従って、フレームメモリー１５５に書き込まれた画像データを処理する。画像処理部１５３が行う画像処理は、上記の画像処理のうちいずれか１つであってもよいし、複数の処理を組み合わせて実行することも可能である。
画像処理部１５３は、画像処理の終了した画像データを所定のタイミングでフレームメモリー１５５から読み出して、表示画像データとして光変調部駆動部１２２に出力する。
【００５８】
記憶部１６０は、例えば、ハードディスク装置等の記憶装置である。記憶部１６０は、ＤＲＡＭ（Dynamic RAM）、大容量の情報の記憶が可能なフラッシュメモリー又はＣＤ（Compact Disc）、ＤＶＤ（Digital Versatile Disc）、ＢＤ（Blu-ray（登録商標） Disc）等の光ディスクで代替されてもよい。記憶部１６０は、制御部１７０が実行する制御プログラム１６１や、画像処理部１５３が実行する画像処理に使用するパラメーター等の各種データを記憶する。
【００５９】
また、記憶部１６０は、複数の画像データ１６２を記憶する。プロジェクター１００は、記憶部１６０に記憶された画像データを画像処理部１５３で処理し、投射部１１０によりスクリーンＳＣに投射することができる。
また、記憶部１６０は、付加画像データ１６３を記憶する。付加画像データ１６３は、本発明の「第２の画像データ」に相当する。この付加画像データ１６３は、端末装置１０の記憶部５０に記憶させた付加画像データ５３と同一のデータである。付加画像データ１６３の各々には、各付加画像データ１６３を識別するための識別情報が付与され、記憶部１６０は、識別情報と付加画像データ１６３とを対応付けて記憶する。端末装置１０とプロジェクター１００とにおいて、同一の付加画像データ５３（１６３）には、同一の識別情報が付与されている。すなわち、プロジェクター１００と端末装置１０とは、識別情報に基づいて同一の付加画像データ５３（１６３）を識別することができる。また、記憶部１６０には、付加画像データ１６３の属性情報が記憶される。この属性情報には、例えば、付加画像データ１６３の色を示す色情報や、付加画像データ１６３の縦方向及び横方向のサイズを示すサイズ情報等が含まれる。この属性情報は、端末装置１０の記憶部５０に記憶された属性情報と同一の情報である。
また、記憶部１６０は、接続情報１６４を記憶する。接続情報１６４は、プロジェクター１００をアクセスポイント（図示省略）に接続するための情報である。接続情報には、アクセスポイントを識別するＳＳＩＤ（Service Set Identifier）、使用する規格（８０２．１１ａ，８０２．１１ｎ等の別）、使用するチャネル、暗号化の方法及び暗号キー等の情報が含まれる。
【００６０】
制御部１７０は、ハードウェアとしてＣＰＵ、ＲＯＭ及びＲＡＭ（いずれも図示省略）を備える。ＲＯＭは、不揮発性の記憶装置であり、制御プログラム及びデータを記憶する。ＲＡＭは、ＣＰＵのワークエリアとして使用される。ＣＰＵは、ＲＯＭや記憶部１６０から読み出した制御プログラムをＲＡＭに展開し、展開した制御プログラムを実行してプロジェクター１００の各部を制御する。なお、ＣＰＵは一つの半導体チップから構成されてもよいし、複数の半導体チップから構成されてもよい。
【００６１】
制御部１７０は、機能ブロックとして、投射制御部１７１、通信制御部１７２及び表示制御部１７３を備える。制御部１７０は、本発明の「第２制御部」に相当する。これらの機能ブロックは、ＲＯＭに記憶した制御プログラム、及び記憶部１６０に記憶した制御プログラム１６１を実行することで実現される機能をブロックとして便宜的に示したものであり、特定のアプリケーションや、ハードウェアを意味するものではない。
【００６２】
投射制御部１７１は、プロジェクター１００の各部を制御して、スクリーンＳＣに画像を投射する。具体的には、投射制御部１７１は、画像処理部１５３に、画像データを処理させる。この際、投射制御部１７１は、画像処理部１５３の処理に必要なパラメーターを記憶部１６０から読み出して画像処理部１５３に出力する。
また、投射制御部１７１は、光変調部駆動部１２２を制御して光変調部１１２の液晶パネル１１５に画像を描画させる。さらに、投射制御部１７１は、光源駆動部１２１を制御して光源部１１１の光源を点灯させ、光源の輝度を調整させる。また、投射制御部１７１は、投射光学系駆動部１２３を制御して、投射レンズのズームやフォーカスを調整する。これにより、光源部１１１の発する光が光変調部１１２の液晶パネル１１５を透過することで変調されて画像光となり、変調された画像光が投射光学系１１３によりスクリーンＳＣに投射される。
【００６３】
通信制御部１７２は、無線通信部１３７を制御して端末装置１０との無線通信を実行する。通信制御部１７２は、接続情報１６４を用いてアクセスポイントに接続し、同じくアクセスポイントに接続した端末装置１０と無線ＬＡＮにより通信を行う。
【００６４】
表示制御部１７３は、端末装置１０と通信を行って、スクリーンＳＣに投射する表示画像データを生成する。
【００６５】
図４は、プロジェクター１００と、端末装置１０との通信シーケンスを示す図である。図４に示す通信シーケンスを参照しながら、プロジェクター１００及び端末装置１０の動作を説明する。
ユーザーは、プロジェクター１００が投射可能な画像データのリストである表示リストの取得を指示する操作を端末装置１０に入力する。端末装置１０のアプリケーション実行部６５は、操作部４０又はタッチ操作により、表示リストの取得を要求する操作を受け付けると、表示リストの取得要求をプロジェクター１００に送信する（ステップＳ１）。表示制御部１７３は、端末装置１０から表示リストの取得要求を受信すると、プロジェクター１００が投射可能な画像データのリストを生成して端末装置１０に送信する（ステップＳ２）。
プロジェクター１００が投射可能な画像データには、記憶部１６０に記憶された画像データ１６２や、メモリーＩ／Ｆ部１３９に外部メモリーが接続されている場合に、この外部メモリーに記憶された画像データが含まれる。表示制御部１７３は、例えば、記憶部１６０や、メモリーＩ／Ｆ部１３９に接続した外部メモリーに記憶された画像データのサムネイル画像を生成する。表示制御部１７３は、生成したサムネイル画像と、画像データのファイル名、識別情報とを含む表示リストを生成して端末装置１０に送信する。
【００６６】
アプリケーション実行部６５は、プロジェクター１００から表示リストを受信すると、受信した表示リストを表示パネル３１に表示させる。ユーザーは、表示パネル３１の表示を見ながら、端末装置１０に表示させて加工したいサムネイル画像を選択する。アプリケーション実行部６５は、選択されたサムネイル画像に対応する画像データの識別情報を含む取得要求をプロジェクター１００に送信する（ステップＳ３）。
【００６７】
表示制御部１７３は、識別情報を含む取得要求を端末装置１０から受信すると、受信した取得要求に含まれる識別情報に対応した画像データを記憶部１６０又は外部メモリーから取得する。表示制御部１７３は、取得した画像データを端末装置１０に送信する（ステップＳ４）。
【００６８】
図５及び図６は、アプリケーション実行部６５の制御により表示パネル３１されるアプリ画面７０の一例を示す図である。
アプリ画面７０には、プロジェクター１００から受信した画像データが表示されるメイン画面７１が含まれる。また、アプリ画面７０には、端末装置１０の記憶部５０に記憶された付加画像データ５３を一覧表示させるサブ画面７２が含まれる。プロジェクター１００から受信した画像データが、本発明の「第１の画像データ」に相当する。
ユーザーは、サブ画面７２に表示された付加画像データ５３の一覧表示の中から、メイン画面７１に表示された画像データに付加させたい付加画像データ５３をタッチ操作により選択する（ステップＳ５）。アプリケーション実行部６５は、タッチ操作により付加画像データ５３が選択されると、選択された付加画像データ５３を、メイン画面７１に表示された画像データに重畳して表示画像データを生成する（ステップＳ６）。表示画像データは、本発明の「第３の画像データ」に相当する。アプリケーション実行部６５は、生成した表示画像データをメイン画面７１に表示させる（ステップＳ７）。図５には、付加画像データ５３として楕円型の飾り枠が重畳された表示画像データを示し、また、図６には、付加画像データ５３として星型の飾り枠が重畳された表示画像データを示す。
【００６９】
ユーザーは、表示パネル３１に表示画像データが表示されると、必要に応じて、タッチ操作又は操作部４０の操作により、付加画像データ５３の色や、サイズ、重畳位置を変更する操作を行う。すなわち、表示画像データをユーザーの好みの画像に変更する。
アプリケーション実行部６５は、タッチ操作又は操作部４０の操作により、画像データに重畳した付加画像データ５３を変更する変更操作を受け付けると、受け付けた変更操作に応じて変更情報を生成して記憶部５０に記憶させる。例えば、アプリケーション実行部６５は、付加画像データ５３の色が、記憶部５０に属性情報として登録された色情報の示す色とは異なる色に変更されると、付加画像データ５３の変更後の色を示す色情報を変更情報として生成する。また、アプリケーション実行部６５は、付加画像データ５３のサイズが、記憶部５０に属性情報として登録されたサイズ情報が示すサイズとは異なるサイズに変更されると、付加画像データ５３の変更後のサイズを示すサイズ情報を変更情報として生成する。
また、アプリケーション実行部６５は、付加画像データ５３のサイズが変更され、付加画像データ５３が重畳される画像データの位置が変更されると、変更情報として、付加画像データ５３が重畳される画像データの位置を示す位置情報を生成する。例えば、アプリケーション実行部６５は、付加画像データ５３の四隅の画素が重畳される画像データ上の位置（画素）を示す位置情報を生成する。
【００７０】
また、アプリケーション実行部６５は、アプリ画面７０に表示された決定ボタン７３が押下されると、プロジェクター１００に送信する加工情報を生成する。加工情報は、本発明の「生成情報」に相当する。加工情報は、端末装置１０が生成した表示画像データと同一の画像データをプロジェクター１００に生成させるための情報である。加工情報には、少なくとも付加画像データ５３の識別情報が含まれる。また、画像データに重畳した付加画像データ５３の色やサイズを変更する操作が行われた場合、加工情報には、変更情報として記憶部５０に記憶させた情報が含まれる。すなわち、加工情報には、付加画像データ５３の色を示す色情報や、サイズを示すサイズ情報、付加画像データ５３が重畳される画像データの位置を示す位置情報の少なくともいずれか１つが含まれる。アプリケーション実行部６５は、生成した加工情報を含む表示要求を生成してプロジェクター１００に送信する（ステップＳ８）。
【００７１】
表示制御部１７３は、端末装置１０から表示要求を受信すると、まず、ステップＳ４において端末装置１０に送信した画像データを記憶部１６０又は外部メモリーから取得し、取得した画像データを画像処理部１５３に出力する。画像処理部１５３は、表示制御部１７３から入力された画像データをフレームメモリー１５５に書き込む。
次に、表示制御部１７３は、受信した表示要求から加工情報を取得する。表示制御部１７３は、加工情報から付加画像データ１６３の識別情報を取得し、取得した識別情報に対応した付加画像データ１６３を記憶部１６０から取得する。
また、表示制御部１７３は、加工情報に、付加画像データ１６３の色情報や、サイズ情報、位置情報が含まれる場合、加工情報からこれらの情報を取得する。表示制御部１７３は、情報を取得すると、取得した情報を画像処理部１５３に出力する。このとき、表示制御部１７３は、加工情報から位置情報を取得した場合、この位置情報が示す画像データの位置（画素）を、フレームメモリー１５５のアドレスを示すアドレス情報に変換する。このフレームメモリー１５５のアドレスは、位置情報が示す画像データの位置（画素）を記憶するフレームメモリー１５５のアドレスに変換したものである。表示制御部１７３は、変換したアドレス情報を画像処理部１５３に出力する。
【００７２】
画像処理部１５３は、表示制御部１７３から付加画像データ１６３が入力されると、入力された付加画像データ１６３をフレームメモリー１５５に書き込み、表示画像データを生成する（ステップＳ９）。このとき、画像処理部１５３は、表示制御部１７３から付加画像データ１６３の色を指定する色情報が入力された場合、付加画像データ１６３の色を、色情報により指定された色に変換する色変換処理を行ってからフレームメモリー１５５に書き込む。
また、画像処理部１５３は、表示制御部１７３からサイズ情報やアドレス情報が入力された場合、まず、付加画像データ１６３のサイズを変換するサイズ変換処理を行う。そして、画像処理部１５３は、サイズ変換処理をした付加画像データ１６３を、入力されたアドレス情報が示すフレームメモリー１５５のアドレスに書き込む。このとき、フレームメモリー１５５には既に画像データが書き込まれているので、画像処理部１５３は、画像データが書き込まれたフレームメモリー１５５の画素を、付加画像データ１６３に書き換える処理を行う。
【００７３】
画像処理部１５３は、画像データに付加画像データ１６３を重畳して表示画像データを生成すると、生成した表示画像データをフレームメモリー１５５から読み出して光変調部駆動部１２２に出力する。光変調部駆動部１２２は、画像処理部１５３から入力される表示画像データに基づいてＲ，Ｇ，Ｂの色ごとに駆動信号を生成し、生成した駆動信号により３枚の液晶パネル１１５をそれぞれに駆動して、各液晶パネル１１５に画像を描画する。これにより、光源部１１１から発せられた光が液晶パネル１１５を透過することで画像光に変調され、変調された画像光が投射光学系１１３によってスクリーンＳＣに投射される（ステップＳ１０）。なお、本実施形態では、プロジェクター１００は、付加画像データを加工情報に基づいて加工し、加工した付加画像データを画像データに重畳して表示画像データを生成した。変形例として、プロジェクター１００は、端末装置１０から表示画像データを生成するための生成情報を受信し、画像データをベースとして、受信した生成情報に基づいて表示画像データを生成してもよい。
【００７４】
また、プロジェクター１００が、表示画像データに基づく画像をスクリーンＳＣに投射した状態で、このスクリーンＳＣに投射された画像を修正する場合、ユーザーは、端末装置１０を操作して、プロジェクター１００に画像の修正リクエストを送信する。
プロジェクター１００の制御部１７０は、端末装置１０から修正リクエストを受信すると、端末装置１０に、画像データと、加工情報とを送信する。画像データは、スクリーンＳＣに投射された表示画像データの一部を構成する画像データであって、付加画像データ１６３が重畳される前の画像データである。また、加工情報は、端末装置１０において、画像データから表示画像データを生成するために必要な情報である。加工情報には、例えば、少なくとも付加画像データ１６３の識別情報が含まれ、この他に付加画像データ１６３の色情報、サイズ情報、位置情報の少なくともいずれか１つが含まれる場合もある。
【００７５】
アプリケーション実行部６５は、プロジェクター１００から画像データと加工情報とを受信すると、受信した画像データと加工情報とに基づいて表示画像データを生成して表示パネル３１に表示させる。
端末装置１０のユーザーは、表示画像データが表示パネル３１に表示されると、表示された表示画像データを変更する変更操作を、タッチ操作又は操作部４０の操作により行う。表示画像データを変更する変更操作には、例えば、画像データに重畳された付加画像データ５３の色やサイズ、付加画像データ５３が重畳される画像データ上の位置を変更する操作が含まれる。また、変更操作は、画像データに重畳する付加画像データ５３を他の付加画像データ５３に変更する操作であってもよい。
【００７６】
アプリケーション実行部６５は、変更操作を受け付けると、受け付けた変更操作に応じて変更情報を生成して記憶部５０に記憶させる。アプリケーション実行部６５は、上述したように、変更操作に応じて、色情報、サイズ情報、位置情報等を生成する。そして、アプリケーション実行部６５は、アプリ画面７０に表示された決定ボタン７３が押下されると、記憶部５０に記憶させた付加画像データ５３の情報に基づいて加工情報を生成する。加工情報には、上述した付加画像データ５３の識別情報や、色情報、サイズ情報、位置情報が含まれる。アプリケーション実行部６５は、加工情報を生成すると、生成した加工情報をプロジェクター１００に送信する。
【００７７】
図７は、端末装置１０の動作を示すフローチャートである。
制御部６０は、タッチ操作又は操作部４０の操作を受け付けたか否かを判定する（ステップＳ１１）。制御部６０は、操作を受け付けていない場合（ステップＳ１１／ＮＯ）、他に実行可能な処理があればこれを実行して、操作を受け付けるまでこのフローに示す動作の開始を待機する（ステップＳ１１）。
また、制御部６０は、操作を受け付けた場合（ステップＳ１１／ＹＥＳ）、受け付けた操作が表示リストの取得を要求する操作であるか否かを判定する（ステップＳ１２）。制御部６０は、表示リストの取得を要求する操作ではなかった場合（ステップＳ１２／ＮＯ）、受け付けた操作に対応した処理を実行し（ステップＳ１３）、この処理フローを終了する。
【００７８】
また、制御部６０は、受け付けた操作が表示リストの取得を要求する操作であった場合（ステップＳ１２／ＹＥＳ）、表示リストの取得要求をプロジェクター１００に送信する（ステップＳ１４）。そして、制御部６０は、プロジェクター１００から表示リストを受信したか否かを判定し（ステップＳ１５）、受信していない場合には（ステップＳ１５／ＮＯ）、表示リストを受信するまで待機する。また、制御部６０は、表示リストを受信すると（ステップＳ１５／ＹＥＳ）、受信した表示リストを表示パネル３１に表示させる（ステップＳ１６）。この表示リストには、プロジェクター１００が投射可能な画像データのファイル名やサムネイル画像、画像データを識別する識別情報が含まれる。
【００７９】
次に、制御部６０は、タッチ操作又は操作部４０の操作により選択操作を受け付けたか否かを判定する（ステップＳ１７）。この選択操作は、表示リストとして表示パネル３１に表示させたサムネイル画像の一覧の中からサムネイル画像を選択する操作である。制御部６０は、選択操作を受け付けていない場合（ステップＳ１７／ＮＯ）、選択操作を受け付けるまで待機する。また、制御部６０は、選択操作を受け付けると（ステップＳ１７／ＹＥＳ）、選択されたサムネイル画像に対応する画像データの取得要求をプロジェクター１００に送信する（ステップＳ１８）。この取得要求には、選択された画像データの識別情報が含まれる。
【００８０】
次に、制御部６０は、プロジェクター１００から画像データを受信したか否か否かを判定する（ステップＳ１９）。制御部６０は、画像データを受信していない場合（ステップＳ１９／ＮＯ）、画像データを受信するまで待機する（ステップＳ１９）。また、制御部６０は、画像データを受信した場合（ステップＳ１９／ＹＥＳ）、受信した画像データを表示パネル３１に表示させる（ステップＳ２０）。その後、制御部６０は、表示パネル３１に表示させた画像データに付加する付加画像データ５３が選択されたか否かを判定する（ステップＳ２１）。
【００８１】
制御部６０は、付加画像データ５３が選択されていない場合（ステップＳ２１／ＮＯ）、画像データの表示を終了させる操作を受け付けたか否かを判定する（ステップＳ２２）。制御部６０は、画像データの表示を終了させる操作を受け付けていない場合（ステップＳ２２／ＮＯ）、ステップＳ２１に戻り付加画像データ５３を選択する操作を受け付けたか否かを判定する（ステップＳ２１）。また、制御部６０は、ステップＳ２２において、画像データの表示終了の操作を受け付けた場合（ステップＳ２２／ＹＥＳ）、表示パネル３１への画像データの表示を終了させ、この処理フローを終了させる。
【００８２】
また、制御部６０は、付加画像データ５３を選択する操作を受け付けた場合（ステップＳ２１／ＹＥＳ）、受け付けた操作により選択された付加画像データ５３を画像データに重畳して表示画像データを生成する。制御部６０は、生成した表示画像データを表示パネル３１に表示させる（ステップＳ２３）。また、制御部６０は、タッチ操作又は操作部４０の操作により、画像データに重畳した付加画像データ５３を変更する変更操作を受け付けた場合、受け付けた変更操作に応じて変更情報を生成して記憶部５０に記憶させる。
【００８３】
制御部６０は、ステップＳ２３において、表示画像データを生成して表示パネル３１に表示させると、決定ボタン７３の操作を受け付けたか否かを判定する（ステップＳ２４）。制御部６０は、決定ボタン７３の操作を受け付けていない場合（ステップＳ２４／ＮＯ）、ステップＳ２１に戻り付加画像データ５３を選択する操作を受け付けたか否かを判定する（ステップＳ２１）。また、制御部６０は、決定ボタン７３の操作を受け付けた場合（ステップＳ２４／ＹＥＳ）、加工情報を生成する（ステップＳ２５）。制御部６０は、加工情報を生成すると、生成した加工情報を含む表示要求をプロジェクター１００に送信する（ステップＳ２６）。この加工情報には、少なくとも付加画像データ５３の識別情報が含まれ、この他に、色情報、サイズ情報、位置情報の少なくとも１つがが含まれる場合がある。
【００８４】
図８は、プロジェクター１００の動作を示すフローチャートである。
制御部１７０は、無線接続された端末装置１０からデータを受信したか否かを判定する（ステップＳ３１）。制御部１７０は、データを受信していない場合（ステップＳ３１／ＮＯ）、他に実行可能な処理があればこれを実行して、操作を受け付けるまでこのフローに示す動作の開始を待機する（ステップＳ３１）。
【００８５】
また、制御部１７０は、データを受信した場合（ステップＳ３１／ＹＥＳ）、受信したデータが表示リストの取得要求であるか否かを判定する（ステップＳ３２）。制御部１７０は、表示リストの取得要求であると判定した場合（ステップＳ３２／ＹＥＳ）、表示リストを端末装置１０に送信する（ステップＳ３３）。
【００８６】
また、制御部１７０は、受信したデータが表示リストの取得要求ではないと判定した場合（ステップＳ３２／ＮＯ）、受信したデータが画像データの取得要求であるか否かを判定する（ステップＳ３４）。制御部１７０は、画像データの取得要求であると判定した場合（ステップＳ３４／ＹＥＳ）、取得要求により指定された画像データを端末装置１０に送信する（ステップＳ３５）。
【００８７】
また、制御部１７０は、受信したデータが画像データの取得要求ではないと判定した場合（ステップＳ３４／ＮＯ）、受信したデータが表示要求であるか否かを判定する（ステップＳ３６）。制御部１７０は、表示要求ではないと判定した場合（ステップＳ３６／ＮＯ）、受信したデータに従って処理を実行し（ステップＳ３７）、この処理フローを終了する。
【００８８】
また、制御部１７０は、受信したデータが表示要求である場合（ステップＳ３６／ＹＥＳ）、まず、ステップＳ３５で端末装置１０に送信した画像データを記憶部１６０又は外部メモリーから読み出して画像処理部１５３に出力する。画像処理部１５３は、制御部１７０から入力された画像データをフレームメモリー１５５に書き込む。
【００８９】
また、制御部１７０は、表示要求に含まれる加工情報から識別情報を取得し、取得した識別情報が示す付加画像データ１６３を記憶部１６０から読み出して画像処理部１５３に出力する。画像処理部１５３は、制御部１７０から入力された付加画像データ１６３をフレームメモリー１５５に書き込んで、画像データに付加画像データ１６３を重畳する（ステップＳ３８）。フレームメモリー１５５には既に画像データが書き込まれているので、画像処理部１５３は、付加画像データ１６３を重畳するフレームメモリー１５５の画素に書き込まれた画像データを、付加画像データ１６３に書き換える。ここで、画像処理部１５３は、加工情報に、付加画像データ１６３の色情報や、サイズ情報、位置情報等が含まれる場合、加工情報に従って付加画像データ１６３の色や、サイズを変換する。そして、画像処理部１５３は、変換した付加画像データ１６３を、位置情報により指定された画像データ上の位置に重畳させる。
【００９０】
画像処理部１５３は、画像データに付加画像データ１６３を重畳して表示画像データを生成すると、生成した表示画像データをフレームメモリー１５５から読み出して駆動部１２０に出力する。駆動部１２０は、制御部１７０の制御に従って投射部１１０を制御し、画像処理部１５３から入力される画像データに基づく画像を液晶パネル１１５に描画する。る。これにより、光源部１１１から発せられた光が液晶パネル１１５を透過することで画像光に変調され、変調された画像光が投射光学系１１３によってスクリーンＳＣに投射される（ステップＳ３９）。
【００９１】
以上説明したようにこの第１実施形態の端末装置１０は、無線通信部２０と、アプリケーション実行部６５と、表示部３０とを備える。
無線通信部２０は、無線通信を行ってプロジェクター１００とデータの送受信を行う。
アプリケーション実行部６５は、無線通信部２０により受信した画像データに、付加画像データ５３を重畳した表示画像データを生成する。
表示部３０は、アプリケーション実行部６５が生成した表示画像データを表示パネル３１に表示させる。また、アプリケーション実行部６５は、プロジェクター１００において、表示画像データの生成に必要な加工情報を無線通信部２０によりプロジェクター１００に送信する。
従って、端末装置１０において、プロジェクター１００に表示させる表示画像データを生成し、この表示画像データの生成に必要な加工情報が端末装置１０からプロジェクター１００に送信される。このため。端末装置１０において、プロジェクター１００に表示させる画像の確認を容易に行うことができる。
【００９２】
また、端末装置１０は、操作を受け付ける操作部４０又はタッチパネル（表示パネル３１及び操作検出部３３）と、複数の付加画像データ５３を記憶する記憶部５０とを備える。
アプリケーション実行部６５は、操作部４０又はタッチパネルにより受け付けた操作により選択された付加画像データ５３を、画像データに重畳して表示画像データを生成する。また、アプリケーション実行部６５は、選択された付加画像データ５３を識別する識別情報を含む加工情報をプロジェクター１００に送信する。
従って、端末装置１０を操作して、画像データに付加する付加画像データ５３を選択することができる。また、端末装置１０からプロジェクター１００には、選択された付加画像データ５３の識別情報が送信されるので、端末装置１０で生成された表示画像データと同一の画像データをプロジェクター１００に生成させることができる。また、端末装置１０からプロジェクター１００に送信されるデータは、付加画像データ５３を識別する識別情報だけであるため、端末装置１０からプロジェクター１００に送信されるデータ量を削減することができる。
【００９３】
アプリケーション実行部６５は、操作部４０又はタッチパネルの操作により受け付けた操作に基づいて、画像データに重畳する付加画像データ５３のサイズと、付加画像データ５３を重畳する画像データ上の位置との少なくとも１つを含む加工情報を生成する。アプリケーション実行部６５は、生成した加工情報を無線通信部２０によりプロジェクター１００に送信する。
従って、端末装置１０を操作して、画像データに重畳する付加画像データ５３のサイズや位置を変更することができる。また、端末装置１０からプロジェクター１００に送信される加工情報には、画像データに重畳する付加画像データ５３のサイズと、付加画像データ５３を重畳する画像データ上の位置とを示す情報が含まれる。このため、端末装置１０において生成した表示画像データを、プロジェクター１００において生成し、生成した表示画像データに基づく画像をスクリーンＳＣに投射することができる。
【００９４】
また、アプリケーション実行部６５は、プロジェクター１００から画像データと、加工情報とを受信した場合に、受信した加工情報に従って、画像データに、付加画像データ５３を重畳して表示画像データを生成する。アプリケーション実行部６５は、生成した表示画像データに基づく画像を表示部３０に表示させ、操作部４０又はタッチパネルの操作に基づいて加工情報を更新する。アプリケーション実行部６５は、更新した加工情報をプロジェクター１００に送信する。
従って、プロジェクター１００がスクリーンＳＣに投射している画像の画像データと、加工情報とを端末装置１０に送信することで、端末装置１０において、プロジェクター１００がスクリーンＳＣに投射している画像を変更する操作を行うことができる。
【００９５】
また、アプリケーション実行部６５は、画像データを装飾する装飾用の画像データを付加画像データ５３として画像データに重畳し、表示画像データを生成する。従って、装飾用の画像データによって画像データを装飾することができる。
【００９６】
［第２実施形態］
添付図面を参照して本発明の第２実施形態について説明する。
図９は、本実施形態の構成を示すシステム構成図である。
本実施形態は、上述した第１実施形態の構成に加えて、ノートＰＣ（パーソナルコンピューター）３００をプロジェクター１００に接続した構成である。ノートＰＣ３００とプロジェクター１００との接続は、ケーブルによる有線接続であってもよいし、無線ＬＡＮ等による無線接続であってもよい。また、本実施形態では、プロジェクター１００に接続した装置がノートＰＣ３００である場合について説明するが、タブレットＰＣやＰＤＡ等の端末装置であってもよい。また、ノートＰＣ３００の構成は、図２に示す端末装置１０の構成とほぼ同一であるため、構成の図示及び説明は省略する。
【００９７】
図９に示すシステムは、プロジェクター１００及びノートＰＣ３００を操作するユーザーと、端末装置１０を操作するユーザーとの２人のユーザーによって操作されるが、１人のユーザーによって操作を行うことも可能である。以下の説明では、プロジェクター１００及びノートＰＣ３００を操作するユーザーをユーザーＡと表記し、端末装置１０を操作するユーザーをユーザーＢと表記する。ユーザーＢは、ユーザーＡがノートＰＣ３００及びプロジェクター１００に対して行った操作を監督する監督者に相当する。
【００９８】
まず、ユーザーＡは、ノートＰＣ３００を操作して、プロジェクター１００に、第１実施形態で説明した表示リストをノートＰＣ３００に送信させる。ノートＰＣ３００は、プロジェクター１００から受信した表示リストをノートＰＣ３００の表示画面（図示省略）に表示させる。
【００９９】
次に、ユーザーＡは、ノートＰＣ３００を操作して、表示リストとして表示されたサムネイル画像の中から、プロジェクター１００に投射させたいサムネイル画像を選択する。ノートＰＣ３００は、サムネイル画像を選択する操作を受け付けると、選択されたサムネイル画像に対応する画像データの識別情報をプロジェクター１００に送信する。
【０１００】
プロジェクター１００は、受信した識別情報に対応する画像データをノートＰＣ３００に送信する。ノートＰＣ３００は、プロジェクター１００から受信した画像データをノートＰＣ３００の表示画面に表示させる。
ユーザーＡは、画像データが表示画面に表示されると、ノートＰＣ３００を操作して、ノートＰＣ３００の記憶部に記憶された付加画像データの中から、画像データに重畳させる付加画像データを選択する操作を入力する。ノートＰＣ３００は、選択された付加画像データを画像データに重畳させて表示画像データを生成し、生成した表示画像データを表示画面に表示させる。また、ノートＰＣ３００は、確定操作を受け付けると、上述した加工情報を生成して、プロジェクター１００に送信する。
【０１０１】
プロジェクター１００は、ノートＰＣ３００から加工情報を受信すると、受信した加工情報と、ノートＰＣ３００に送信した画像データとを端末装置１０に送信する。
制御部６０は、プロジェクター１００から画像データ及び加工情報を受信すると、まず、加工情報から付加画像データ５３の識別情報を取り出す。制御部６０は、取り出した識別情報に対応した付加画像データ５３を記憶部５０から読み出し、プロジェクター１００から受信した画像データに付加画像データ５３を重畳して表示画像データを生成する。制御部６０は、生成した表示画像データを表示パネル３１に表示させる。
【０１０２】
ユーザーＢは、表示パネル３１に表示された表示画像データを視認し、プロジェクター１００に投射させる画像を確認する。ユーザーＢは、プロジェクター１００に投射させる画像が表示パネル３１に表示された画像でよいと判定した場合、プロジェクター１００に画像の投射を許可する操作を操作部４０の操作又はタッチ操作により入力する。また、ユーザーＢは、プロジェクター１００に投射させる画像を変更したいと考えた場合、操作部４０の操作又はタッチ操作により、表示パネル３１に表示された画像を変更する操作を行う。例えば、ユーザーＢは、画像データに重畳させる付加画像データ５３を変更したり、付加画像データ５３の色やサイズ、重畳位置を変更したりする操作を操作部４０の操作又はタッチ操作により行う。
【０１０３】
制御部６０は、投射を許可する操作を受け付けると、画像の投射を許可する許可情報を含む表示要求をプロジェクター１００に送信する。また、制御部６０は、タッチ操作又は操作部４０の操作により画像を変更する操作を受け付けた場合、受け付けた操作に基づいて加工情報を更新し、更新した加工情報を含む表示要求をプロジェクター１００に送信する。
【０１０４】
制御部１７０は、端末装置１０から受信した表示要求に許可情報が含まれる場合、ノートＰＣ３００から受信した加工情報に従って、画像データに付加画像データ１６３を重畳して表示画像データを生成する。また、制御部１７０は、端末装置１０から更新された加工情報を含む表示要求を受信した場合、端末装置１０から受信した加工情報に従って、画像データに付加画像データ１６３を重畳して表示画像データを生成する。制御部１７０は、生成した表示画像データに基づく画像を投射部１１０によりスクリーンＳＣに投射させる。
【０１０５】
上述の説明では、ノートＰＣ３００を別途設けた構成について説明した。しかし、プロジェクター１００の操作・表示パネル１３１が、表示画像データを表示できる構成であれば、ノートＰＣ３００で行った動作をプロジェクター１００で行うことも可能である。
プロジェクター１００は、リモコン１０５又は操作・表示パネル１３１で受け付けた操作に従って、操作・表示パネル１３１に画像データや、付加画像データ１６３が重畳された表示画像データを表示させる。また、プロジェクター１００は、リモコン１０５又は操作・表示パネル１３１により確定操作を受け付けると、操作・表示パネル１３１に表示させた表示画像データに基づいて上述した加工情報を生成し、画像データと共に端末装置１０に送信する。
端末装置１０は、プロジェクター１００から画像データと加工情報とを受信すると、受信した加工情報に含まれる識別情報に対応した付加画像データ５３を記憶部５０から読み出す。また、端末装置１０は、プロジェクター１００から受信した画像データに重畳させて表示画像データを生成して表示部３０に表示させる。
【０１０６】
図１０は、第２実施形態の動作を示すシーケンス図である。
まず、ノートＰＣ３００は、ユーザーの操作を受け付ける。ここで受け付ける操作は、表示リストを表示させる操作である。ノートＰＣ３００は、受け付けた操作に従って、表示リストの取得要求をプロジェクター１００に送信する（ステップＳ４１）。
【０１０７】
プロジェクター１００の制御部１７０は、ノートＰＣ３００から取得要求を受信すると、プロジェクター１００が投射可能な画像データのリストを生成してノートＰＣ３００に送信する（ステップＳ４２）。ノートＰＣ３００は、プロジェクター１００から表示リストを受信すると、受信した表示リストを表示させる(ステップＳ４３)。
【０１０８】
次に、ノートＰＣ３００は、ユーザーの操作を受け付ける。ここで受け付ける操作は、表示リストに表示されたサムネイル画像のいずれか１つを選択する操作である。ノートＰＣ３００は、サムネイル画像を選択する操作を受け付けると、選択されたサムネイル画像に対応する画像データの識別情報を含む取得要求をプロジェクター１００に送信する（ステップＳ４４）。
【０１０９】
プロジェクター１００の制御部１７０は、取得要求をノートＰＣ３００から受信すると、受信した取得要求に含まれる識別情報に対応した画像データを記憶部１６０又は外部メモリーから取得する。制御部１７０は、取得した画像データをノートＰＣ３００に送信する（ステップＳ４５）。
【０１１０】
この後、ノートＰＣ３００において、上述した図４のシーケンス図において説明したように、付加画像データの選択（ステップＳ４６）、選択された付加画像データを画像データに重畳して表示画像データの生成（ステップＳ４７）等が行われる。ノートＰＣ３００は、生成した表示画像データをノートＰＣ３００の表示部（図示略）に表示させる（ステップＳ４８）。また、ノートＰＣ３００は、画像データに重畳された付加画像データを変更する変更操作を受け付けると、受け付けた変更操作に応じて付加画像データの色やサイズ、重畳位置等を変更し、変更した付加画像データを画像データに重畳して表示画像データを生成する。ノートＰＣ３００は、生成した表示画像データに基づく画像を表示部により表示させ、変更後の付加画像データの色や、サイズ、付加画像データが重畳される画像データ上の位置等を示す変更情報を記憶部に記憶させる。
【０１１１】
次に、ノートＰＣ３００は、操作を確定させる確定操作を受け付けると、記憶部に記憶させた変更後の付加画像データの色や、サイズ、付加画像データが重畳される画像データ上の位置情報等を含む加工情報をプロジェクター１００に送信する（ステップＳ４９）。
【０１１２】
プロジェクター１００の制御部１７０は、ノートＰＣ３００から加工情報を受信すると、受信した加工情報、及びステップＳ４５においてノートＰＣ３００に送信した画像データを端末装置１０に送信する（ステップＳ５０）。ここで、制御部１７０は、ノートＰＣ３００から受信した加工情報に基づいて表示画像データを生成し、表示画像データに基づく画像を投射部１１０に投射させておくことも可能である。
【０１１３】
端末装置１０の制御部６０は、プロジェクター１００から加工情報及び画像データを受信すると、受信した加工情報に基づいて、表示画像データを生成する（ステップＳ５１）。すなわち、制御部６０は、プロジェクター１００から受信した画像データに、加工情報に含まれる識別情報が示す付加画像データ５３を重畳して表示画像データを生成する。制御部６０は、生成した表示画像データに基づく画像を表示パネル３１に表示させる。
【０１１４】
制御部６０は、表示パネル３１に画像を表示させると、タッチ操作又は操作部４０の操作を受け付ける。制御部６０は、画像データに重畳させる付加画像データ５３を変更したり、付加画像データ５３の色やサイズ、重畳位置を変更したりする操作を受け付けた場合、受け付けた操作に基づいて加工情報を更新する。例えば、付加画像データ５３を変更する操作を受け付けた場合、加工情報には、変更された付加画像データ５３の識別情報が含まれる。また、付加画像データ５３の色やサイズ、重畳位置を変更する操作を受け付けた場合、加工情報には、変更された付加画像データ５３の色情報や、サイズ情報、位置情報が含まれる。
【０１１５】
制御部６０は、操作を確定させる確定操作を受け付けると、画像の投射を許可する許可情報、又は更新した加工情報をプロジェクター１００に送信する（ステップＳ５２）。
プロジェクター１００の制御部１７０は、端末装置１０から許可情報を受信した場合、画像処理部１５３に、ノートＰＣ３００から受信した加工情報に従って表示画像データを生成させる（ステップＳ５３）。また、制御部１７０は、変更された加工情報を受信した場合、画像処理部１５３に、変更された加工情報に従って表示画像データを生成させる（ステップＳ５３）。画像処理部１５３は、表示画像データを生成すると、生成した表示画像データに基づく画像を投射部１１０に投射させる（ステップＳ５４）。
【０１１６】
以上説明したように第２実施形態は、プロジェクター１００が、リモコン１０５から受信した操作信号により選択された付加画像データ１６３の識別情報、又はノートＰＣ３００から送信される付加画像データ１６３の識別情報を端末装置１０に送信する。端末装置１０は、受信した識別情報に対応した付加画像データ５３を画像データに重畳して表示画像データを生成する。
従って、端末装置１０において、リモコン１０５又はノートＰＣ３００により選択された付加画像データ５３を画像データに重畳して表示画像データを生成することができる。このため、端末装置１０において、プロジェクター１００に表示させる画像の確認を容易に行うことができる。
【０１１７】
［第３実施形態］
添付図面を参照して本発明の第３実施形態について説明する。
上述した第１実施形態では、端末装置１０の記憶部５０には、付加画像データ５３を記憶させ、プロジェクター１００の記憶部１６０には、画像データ１６２及び付加画像データ１６３を記憶させた。第３実施形態では、端末装置１０の記憶部５０には、付加画像データ５３に加え、付加画像データ５３が重畳される画像データを記憶させる。記憶部５０が記憶するデータ以外の構成は、第１実施形態と同一であるため説明を省略する。
【０１１８】
図１１は、第３実施形態のプロジェクター１００及び端末装置１０の動作を示すシーケンス図である。
端末装置１０の制御部６０は、タッチ操作又は操作部４０の操作により、画像の選択要求を受け付けると、記憶部５０に記憶された画像データの各々についてサムネイル画像を生成し、生成したサムネイル画像の各々を表示パネル３１に表示させる。また、制御部６０は、タッチ操作又は操作部４０の操作により、表示パネル３１に表示されたサムネイル画像のいずれか１つを選択する操作を受け付けると、選択されたサムネイル画像の元となる画像データを記憶部５０から読み出す。制御部６０は、読み出した画像データに基づく画像を表示パネル３１に表示させる（ステップＳ６１）。
【０１１９】
次に、制御部６０は、表示パネル３１に表示させた画像データをプロジェクター１００に送信する（ステップＳ６２）。ここで、端末装置１０がプロジェクター１００に送信するデータは、画像データであってもよいし、画像データに基づいて生成したサムネイル画像や、表示パネル３１に表示された画像をキャプチャしたキャプチャ画像であってもよい。すなわち、画像データより解像度の低い画像データであってもよい。また、プロジェクター１００の記憶部１６０に画像データが記憶されている場合、制御部６０は、ステップＳ６２において、画像データを識別する識別情報をプロジェクター１００に送信してもよい。
【０１２０】
プロジェクター１００の制御部１７０は、端末装置１０から画像データを受信すると、受信した画像データに基づく画像をスクリーンＳＣに投射させる（ステップＳ６３）。
【０１２１】
次に、端末装置１０の制御部６０は、表示パネル３１に表示された画像に付加する付加画像データの選択を受け付ける（ステップＳ６４）。ここでは、図４のシーケンス図の説明で説明したように、アプリ画面７０には、記憶部５０に記憶された付加画像データ５３が一覧表示されたサブ画面７２が表示される。ユーザーは、サブ画面７２に表示された付加画像データ５３の一覧表示の中から、メイン画面７１に表示された画像データに付加させたい付加画像データ５３をタッチ操作により選択する（ステップＳ６４）。
【０１２２】
制御部６０は、タッチ操作又は操作部４０の操作により付加画像データ５３を選択する操作を受け付けると、選択された付加画像データ５３を、メイン画面７１に表示された画像データに重畳して表示画像データを生成する（ステップＳ６５）。また、制御部６０は、生成した表示画像データに基づく画像を表示パネル３１に表示させる（ステップＳ６６）。
【０１２３】
ここで、制御部６０は、タッチ操作又は操作部４０の操作により、画像データに重畳された付加画像データ５３を変更する変更操作を受け付けた場合、受け付けた変更操作に応じて付加画像データ５３の色やサイズ、重畳位置等を変更する（ステップＳ６７）。
制御部６０は、変更した付加画像データ５３を画像データに重畳して表示画像データを生成し（ステップＳ６８）、生成した表示画像データに基づく画像を表示パネル３１に表示させる（ステップＳ６９）。さらに、制御部６０は、変更された付加画像データ５３の色や、サイズ、付加画像データ５３が重畳される画像データ上の位置等を示す変更情報を生成して記憶部５０に記憶させる（ステップＳ７０）。
【０１２４】
次に、制御部６０は、アプリ画面７０に表示された決定ボタン７３の押下操作を受け付けると、表示パネル３１に表示された画像の元となる表示画像データをプロジェクター１００に送信する（ステップＳ７１）。ここで、端末装置１０からプロジェクター１００に送信されるデータは、表示画像データに基づいて生成したサムネイル画像のデータであってもよいし、表示パネル３１に表示された画像をキャプチャしたキャプチャ画像であってもよい。すなわち、画像データよりも解像度の低い画像データであってもよい。
【０１２５】
プロジェクター１００の制御部１７０は、端末装置１０から受信した表示画像データを画像処理部１５３により処理させ、処理後の表示画像データに基づく画像を投射部１１０によりスクリーンＳＣに投射させる（ステップＳ７２）。
【０１２６】
次に、端末装置１０の制御部６０は、加工情報を含む表示要求をプロジェクター１００に送信する（ステップＳ７３）。加工情報には、少なくとも付加画像データ５３を識別する識別情報が含まれ、この他に、付加画像データ１６３の色情報や、サイズ情報、位置情報等が含まれる。
【０１２７】
また、端末装置１０がプロジェクター１００に表示要求を送信するタイミングは、ステップＳ７１において表示画像データをプロジェクター１００に送信してから予め設定された時間が経過した後であってもよい。また、制御部６０は、表示パネル３１に対するタッチ操作により表示要求の送信を指示する操作を受け付けた場合に、プロジェクター１００に表示要求を送信してもよい。
ユーザーは、プロジェクター１００によりスクリーンＳＣに投射された表示画像データに基づく画像を視認して確認し、タッチ操作により表示要求の送信を指示する。また、制御部６０は、プロジェクター１００からスクリーンＳＣへの画像の投射が完了したことを示す通知を受信した後に、表示要求をプロジェクター１００に送信してもよい。
【０１２８】
また、ステップＳ７３の表示要求の送信において、画像データを送信してもよい。例えばステップＳ６２において、サムネイル画像やキャプチャ画像をプロジェクター１００に送信している場合には、ステップＳ７３において画像データを送信してもよい。また、プロジェクター１００の記憶部１６０に画像データが記憶されている場合には、画像データではなく、画像データを識別する識別情報を、表示要求に含めて送信してもよい。
【０１２９】
制御部１７０は、端末装置１０から表示要求を受信すると、表示要求に含まれる識別情報に対応した付加画像データを記憶部１６０から読み出し、読み出した付加画像データを画像データに重畳して表示画像データを生成する（ステップＳ７４）。ここで、制御部１７０は、ステップＳ７１で端末装置１０から受信した表示画像データより解像度の高い表示画像データを生成する。ここで生成される表示画像データは、スクリーンＳＣに投射される画像データであるため、解像度が高く、高画質の画像を生成する。また、制御部１７０は、表示要求に加工情報が含まれる場合、加工情報に従って付加画像データの色やサイズ等を変更し、変更後の付加画像データを、加工情報に含まれる位置情報に従って画像データに重畳して表示画像データを生成する。制御部１７０は、表示画像データを生成すると、生成した表示画像データに基づく画像を投射部１１０によりスクリーンＳＣに投射させる（ステップＳ７５）。
【０１３０】
図１２は、図１１に示す第３実施形態のシーケンスの一部を変形したシーケンスを示すシーケンス図である。
図１２に示すシーケンスでは、プロジェクター１００の制御部１７０は、画像供給装置２００から画像データが供給されると、供給された画像データに基づく画像を投射部１１０によりスクリーンＳＣに投射させる（ステップＳ８１）。また、制御部１７０は、供給された画像データを端末装置１０に送信する（ステップＳ８２）。ここで、プロジェクター１００から端末装置１０に送信される画像データは、端末装置１０での表示用に、画像供給装置２００から供給された画像データより解像度を低く落としたデータであってもよい。プロジェクター１００の制御部１７０は、画像データの解像度を低下させる解像度変換処理を行って、解像度を低くした画像データを端末装置１０に送信する。これによってプロジェクター１００から端末装置１０に送信されるデータ量を削減することができる。
【０１３１】
端末装置１０の制御部６０は、プロジェクター１００から画像データを受信すると、受信した画像データに基づく画像を表示パネル３１に表示させる（ステップＳ８３）。また、制御部６０は、画像データに基づく画像を表示パネル３１に表示させると、表示パネル３１に表示させた画像データをプロジェクター１００に送信する（ステップＳ８４）。プロジェクター１００の制御部１７０は、端末装置１０から画像データを受信すると、受信した画像データに基づく画像を投射部１１０によりスクリーンＳＣに投射させる（ステップＳ８５）。ステップＳ８４及びＳ８５の処理により、プロジェクター１００によりスクリーンＳＣに投射される画像が、端末装置１０の表示パネル３１に表示された画像に変更される。すなわち、プロジェクター１００によりスクリーンＳＣに投射される画像が解像度の低い画像に変更される。
【０１３２】
この後、制御部６０は、ステップＳ６４と同様に、表示パネル３１に表示された画像データに付加する付加画像データの選択を受け付け（ステップＳ８６）、受け付けた操作により選択された付加画像データを画像データに重畳して表示画像データを生成する。以後の処理については、図１１に示すシーケンス図と同一であるため、詳細な説明については省略する。
【０１３３】
以上説明したように第３実施形態の端末装置１０の制御部６０は、画像データに付加画像データを重畳して表示画像データを生成する。そして、制御部６０は、プロジェクター１００に表示画像データを生成させるための加工情報を生成して、プロジェクター１００に送信する。
従って、端末装置１０において表示画像データを生成して表示させるため、プロジェクター１００から表示画像データを受信する場合と比較して、表示画像データに基づく画像が端末装置１０に表示されるまでの時間を短縮することができる。また、表示画像データを生成するための加工情報が、端末装置１０からプロジェクター１００に送信される。従って、表示画像データを端末装置１０からプロジェクター１００に送信する場合と比較して、端末装置１０からプロジェクター１００に送信されるデータ量を削減することができる。
【０１３４】
また、制御部６０は、表示画像データをプロジェクター１００に送信した後に、加工情報をプロジェクター１００に送信する。
従って、端末装置１０が生成した表示画像データに基づく画像をプロジェクター１００に表示させた後に、プロジェクター１００に加工情報に基づいて表示画像データを生成させることができる。
【０１３５】
また、制御部６０は、画像データに基づく画像を表示パネル３１に表示させた後に、画像データをプロジェクター１００に送信する。また、制御部６０は、画像データに付加画像データを重畳して表示画像データを生成して、生成した表示画像データに基づく画像を表示部に表示させた後に、表示画像データをプロジェクター１００に送信する。さらに、制御部６０は、表示画像データをプロジェクター１００に送信した後に、加工情報をプロジェクター１００に送信する。
従って、端末装置１０の表示パネル３１に表示された画像データに基づく画像を、プロジェクター１００において表示させ、その後に、端末装置１０において生成された表示画像データに基づく画像を、プロジェクター１００において表示させることができる。さらに、プロジェクター１００に、加工情報に基づいて表示画像データを生成させ、生成された表示画像データに基づく画像を表示させることができる。
【０１３６】
また、制御部６０により生成される表示画像データのデータ量は、プロジェクター１００が加工情報に基づいて生成する表示画像データのデータ量より少ない。
従って、プロジェクター１００において表示画像データに基づく画像を迅速に表示させることができる。
【０１３７】
また、端末装置１０は、操作を受け付ける操作部４０又はタッチパネルと、複数の付加画像データを記憶する記憶部５０とを備える。制御部６０は、プロジェクター１００から画像データを受信すると、受け付けた操作により選択された付加画像データを記憶部５０から読み出し、受信した画像データに読み出した付加画像データを重畳して表示画像データを生成する。
従って、プロジェクター１００から受信した画像データに、操作部４０又はタッチパネルにより受け付けた操作により選択された付加画像データを重畳した表示画像データを生成させることができる。
【０１３８】
また、制御部６０は、操作部４０又はタッチパネルにより受け付けた操作により選択された画像データに、操作部４０又はタッチパネルにより受けた操作により選択された付加画像データを重畳して表示画像データを生成する。
従って、操作部４０又はタッチパネルにより受け付けた操作により選択された画像データに、受け付けた操作により選択された画像データを重畳した表示画像データを生成させることができる。
【０１３９】
上述した実施形態は、本発明の好適な実施の形態である。但し、上述した実施形態に限定されるものではなく、本発明の要旨を逸脱しない範囲内において種々の変形実施が可能である。
例えば、上述した実施形態では、プロジェクター１００を、透過型液晶パネルを用いた液晶プロジェクターとして説明したが、反射型の液晶パネルやデジタルミラーデバイスを用いたプロジェクターであってもよい。また、スクリーンＳＣに画像を投射するプロジェクターに限定されず、液晶表示パネルに画像を表示する液晶モニター又は液晶テレビ、或いは、ＰＤＰ（プラズマディスプレイパネル）に画像を表示するモニター装置又はテレビ受像機、ＯＬＥＤ（Organic light-emitting diode）、ＯＥＬ（Organic Electro-Luminescence）等と呼ばれる有機ＥＬ表示パネルに画像を表示するモニター装置又はテレビ受像機等の自発光型の表示装置など、各種の表示装置も本発明の表示装置に含まれる。
【０１４０】
また、図２に示す端末装置１０の各機能部や、図３に示すプロジェクター１００の各機能部は、ハードウェアとソフトウェアとの協働により実現される機能的構成を示すものであって、具体的な実装形態は特に制限されない。従って、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現されている機能の一部をハードウェアで実現してもよく、あるいは、ハードウェアで実現されている機能の一部をソフトウェアで実現してもよい。
【０１４１】
また、図４、図１０及び図１１に示すシーケンス図や、図７及び図８に示すフローチャートは、端末装置１０の制御部６０や、プロジェクター１００の制御部１７０、ノートＰＣ３００の処理を理解容易にするために、主な処理内容に応じて分割したものである。これらのシーケンス図やフローチャートに示す処理単位の分割の仕方や名称によって本発明が制限されることはない。また、制御部６０や、制御部１７０、ノートＰＣ３００の処理は、処理内容に応じて、さらに多くの処理単位に分割することもできるし、１つの処理単位がさらに多くの処理を含むように分割することもできる。また、上記のフローチャートの処理順序も、図示した例に限られるものではない。
【符号の説明】
【０１４２】
３…ケーブル、１０…端末装置、２０…無線通信部（通信部、第１通信部）、３０…表示部、３１…表示パネル（操作部）、３３…操作検出部（操作部）、４０…操作部、５０…記憶部（記憶部、第１記憶部）、５１…制御プログラム、５３…付加画像データ、５５…接続情報、６０…制御部、６１…表示制御部、６３…通信制御部、６５…アプリケーション実行部（制御部）、６７…加工処理部、７０…アプリ画面、７１…メイン画面、７２…サブ画面、７３…決定ボタン、１００…プロジェクター(表示装置)、１０５…リモコン（リモコン端末）、１１０…投射部（第２表示部）、１１１…光源部、１１２…光変調部、１１３…投射光学系、１１５…液晶パネル、１２０…駆動部、１２１…光源駆動部、１２２…光変調部駆動部、１２３…投射光学系駆動部、１３５…リモコン受光部、１３７…無線通信部（第２通信部）、１３９…メモリーＩ／Ｆ部、１５１…画像入力Ｉ／Ｆ部、１５３…画像処理部、１５５…フレームメモリー、１６０…記憶部（第２記憶部）、１６１…制御プログラム、１６２…画像データ、１６３…付加画像データ、１６４…接続情報、１７０…制御部（第２制御部）、１７１…投射制御部、１７２…通信制御部、１７３…表示制御部、１９０…バス、２００…画像供給装置、３００…ノートＰＣ、ＳＣ…スクリーン。
【図１】
2018189935.tif 000003
【図２】
2018189935.tif 000004
【図３】
2018189935.tif 000005
【図４】
2018189935.tif 000006
【図５】
2018189935.tif 000007
【図６】
2018189935.tif 000008
【図７】
2018189935.tif 000009
【図８】
2018189935.tif 000010
【図９】
2018189935.tif 000011
【図１０】
2018189935.tif 000012
【図１１】
2018189935.tif 000013
【図１２】
2018189935.tif 000014